(57)【要約】【課題】診療医から専門医への眼底写真の診断依頼とその回答とをシステム化し、眼底写真の判定、解析等の診断を適切かつ確実に行うことができる眼底写真診断システムを得る。【解決手段】診療医１が患者２の眼底写真を撮影してその診断を行う際に用いられる眼底写真診断システムを、眼底写真を撮影する眼底写真撮像装置１１と、この眼底写真撮像装置で撮影された眼底写真の画像データを表示する表示部を有する診療医側の情報処理端末１２と、眼底写真の画像データを表示する表示部を有する専門医３側の情報処理端末３１とで構成する。これらの診療医側の情報処理端末と専門医側の情報処理端末とをインターネット４を介して接続する。【選択図】　　　　図１
2004065893.tif 000002
【特許請求の範囲】
【請求項１】
診療医が患者の眼底写真を撮影しその診断を行う際に用いられる眼底写真診断システムであって、
眼底写真を撮影する眼底写真撮像装置と、
この眼底写真撮像装置で撮影された眼底写真の画像データを表示する表示部を有する診療医側の情報処理端末と、
前記眼底写真の画像データを表示する表示部を有する専門医側の情報処理端末を備え、
これらの診療医側の情報処理端末と専門医側の情報処理端末とをインターネットを介して接続したことを特徴とする眼底写真診断システム。
【請求項２】
請求項１記載の眼底写真診断システムにおいて、
前記診療医側の情報処理端末は、眼底写真データの表示、専門医への依頼状作成、その回答書データの表示を行う機能を備えていることを特徴とする眼底写真診断システム。
【請求項３】
請求項１または請求項２記載の眼底写真診断システムにおいて、
前記専門医側の情報処理端末は、眼底写真の画像データの表示、該画像データの判定・解析結果を判定・解析フォーマットに従って回答書データとして作成を行う機能を備えていることを特徴とする眼底写真診断システム。
【請求項４】
請求項１、請求項２または請求項３記載の眼底写真診断システムにおいて、
前記眼底写真撮像装置と診療医側の情報処理端末とを画像データの授受を行えるように接続したことを特徴とする眼底写真診断システム。
【請求項５】
請求項４記載の眼底写真診断システムにおいて、
前記診療医側の情報処理端末と専門医側の情報処理端末とをインターネットで接続した状態で、前記眼底写真撮像装置で患者の眼底写真撮影を行うようにしたことを特徴とする眼底写真診断システム。
【発明の詳細な説明】
【０００１】
【発明の属する技術分野】
本発明は、内科医等の診療医が患者の眼底写真を撮影して診断を行う際に活用して好適な眼底写真診断システムに関する。
【０００２】
【従来の技術】
眼底検査は、脳腫瘍、脳卒中などの脳疾患の診断を行うための有効な検査法の一つである。すなわち、脳の病変は眼底の視神経の変化として現れ、眼底は脳の鏡であると言われている。
このため、内科医や脳外科医などの診療医は、眼底写真を撮影する眼底写真撮像装置を準備しており、患者の眼底写真の撮影を行うことで、上記の診断に役立てている。
【０００３】
特に、最近は内科医にとっても、上記の眼底写真を撮る必要がある患者が多くなっており、眼底写真の判定・解析等の診断が必須となっている。
【０００４】
【発明が解決しようとする課題】
しかし、内科医等にとって、上述した眼底写真を診断することはかなり難しく、その診断に窮する場合もあった。
【０００５】
そのような場合において、少数の診療医には、眼底写真の専門家である眼科医や大学等での眼科関係の研究スタッフ等のなかの知人などに個別に相談することもできたが、大多数の診療医にとっては自身の判断で診断するしかなかった。
【０００６】
本発明はこのような事情に鑑みてなされたものであり、内科医等の診療医が患者の眼底写真の診断を行うにあたって、眼底写真の専門家である眼科医や大学等での眼科関係の研究スタッフ等への眼底写真の判定、解析等の診断を依頼してその回答を得ることをシステム化することにより、眼底写真の判定、解析等の診断を適切かつ確実に行うことができる眼底写真診断システムを得ることを目的としている。
【０００７】
また、本発明は、上記の診療医側から専門医側への依頼、回答をインタネットを利用して行うことにより、診療医と専門医とが遠隔地にいる場合であっても、患者の眼底写真の判定、解析等の診断を適切かつ確実に行うことができる眼底写真診断システムを得ることを目的としている。
【０００８】
【課題を解決するための手段】
このような目的に応えるために本発明（請求項１記載の発明）に係る眼底写真診断システムは、診療医が患者の眼底写真を撮影しその診断を行う際に用いられる眼底写真診断システムであって、眼底写真を撮影する眼底写真撮像装置と、この眼底写真撮像装置で撮影された眼底写真の画像データを表示する表示部を有する診療医側の情報処理端末と、前記眼底写真の画像データを表示する表示部を有する専門医側の情報処理端末を備え、これらの診療医側の情報処理端末と専門医側の情報処理端末とをインターネットを介して接続したことを特徴とする。
【０００９】
本発明（請求項２記載の発明）に係る眼底写真診断システムは、請求項１において、診療医側の情報処理端末は、眼底写真データの表示、専門医への依頼状作成、その回答書データの表示を行う機能を備えていることを特徴とする。
【００１０】
本発明（請求項３記載の発明）に係る眼底写真診断システムは、請求項１または請求項２において、専門医側の情報処理端末は、眼底写真の画像データの表示、該画像データの判定・解析結果を判定・解析フォーマットに従って回答書データとして作成を行う機能を備えていることを特徴とする。
【００１１】
本発明（請求項４記載の発明）に係る眼底写真診断システムは、請求項１、請求項２または請求項３において、眼底写真撮像装置と診療医側の情報処理端末とを画像データの授受を行えるように接続したことを特徴とする。
【００１２】
本発明（請求項５記載の発明）に係る眼底写真診断システムは、請求項４において、診療医側の情報処理端末と専門医側の情報処理端末とをインターネットで接続した状態で、前記眼底写真撮像装置で患者の眼底写真撮影を行うようにしたことを特徴とする。
【００１３】
本発明によれば、内科医等の診療医が患者の眼底写真の診断を行うにあたって、眼底写真の専門家である眼科医や大学等での眼科関係の研究スタッフ等への眼底写真の判定、解析等の診断を依頼してその回答を得ることをシステム化し、眼底写真の判定、解析等の診断を適切かつ確実に行うことができる。
【００１４】
また、本発明によれば、上記の診療医側から専門医側への依頼、回答をインタネットを利用して行うことにより、診療医と専門医とが遠隔地にいる場合であっても、患者の眼底写真の判定、解析等の診断を適切かつ確実に行うことができる。
【００１５】
本発明において、診療医側と専門医側とを接続した状態で眼底写真撮影を行うようにすると、患者の診察、診断を効率よく行える。
【００１６】
【発明の実施の形態】
図１は本発明に係る眼底写真診断システムの一つの実施の形態を示す。
図において、符号１は、患者２を診察する内科医あるいは脳外科医等の診療医であり、この診療医１は、患者２を診察し、必要に応じて該患者２の眼底検査を行う。
【００１７】
前記診療医１は、眼底写真を撮影するための眼底写真撮像装置１１を備えるとともに、この眼底写真撮像装置１１で撮影された眼底写真の画像データを表示する表示部を有する診療医側の情報処理端末１２（パーソナルコンピュータ等による）と、インターネット４へのデータの送受信を行うデータ送受信手段１３をも具備している。
【００１８】
ここで、診療医１側の情報処理端末１２は、眼底写真データの表示や、専門医への依頼状作成、さらにその回答書データの表示を行う機能を備えている。すなわち、診療医１またはその医療スタッフは、情報処理端末１２により、前記眼底写真撮像装置１１で撮影した眼底写真を画像データに変換し、その表示確認を行ったり、専門医への眼底写真の診断を依頼する依頼状を作成したり、専門医グループ３から送られてきた回答書データや眼底写真データを表示してその診断を行ったりする。なお、該データを出力するプリンタ手段等を設け、該出力に基づいて診断を行うようにしてもよい。
【００１９】
３は眼底写真の専門医である眼科医や大学の眼科関係の研究スタッフ等といった専門医グループであり、前記診療医１からインターネット４を介して送られてくる眼底写真の診断を行うために、眼底写真の画像データを表示する表示部を有する専門医側の情報処理端末３１（パーソナルコンピュータ等による）と、インターネット４へのデータの送受信を行うデータ送受信手段３２等を具備している。
【００２０】
ここで、専門医側の情報処理端末３１は、眼底写真の画像データの表示、該画像データの判定・解析結果を判定・解析フォーマットに従って回答書データとして作成を行う機能を備えている。なお、このような回答書としては、電子データに限らず、手書き等による回答書でもよい。このときには、郵送、その他の送達手段、あるいはＦＡＸなどを利用して、回答書の送付を行ってもよい。
【００２１】
また、この専門医グループ３側での眼底写真の診断についての費用は、診療医１側への請求書（または請求書データ）を添付することで行うとよい。診療医１はこれに基づいた金額を加算して患者２への請求を行う。
【００２２】
以上のシステムにおいて、診療医１が患者２の眼底写真を撮影しその診断を行うには、電子データ化した眼底写真や依頼状をインターネット４を介して専門医グループ３に送る。専門医グループ３は、この眼底写真を情報処理端末３１に表示しながら、その判定、解析等の診断を行う。その結果は、回答書として予め定めた判定フォーマットや解析フォーマットに基づいて作成し、これを診療医１側に送付する。
【００２３】
診療医１は、上記の回答書や眼底写真を再度確認しながら、患者２の診断を行う。このようにすると、眼底写真の判定、解析等の診断を適切かつ確実に行うことができる。
【００２４】
しかも、上記の診療医１側から専門医側への依頼、回答をインタネットを利用して行うことにより、診療医１と専門医グループ３とが遠隔地にいる場合であっても、患者２の眼底写真の判定、解析等の診断を適切かつ確実に行うことができるから、より一層正確な診断を行えることになる。
【００２５】
さらに、このようにインターネット４で眼底写真を送るようにすると、遠隔地にいる診療医１と専門医グループ３とが、通信回線を介して会話をしながら、患者２の眼底の撮影と診断とを同時に行うことも可能となる。すなわち、診療医１は、患者２の眼底写真を、眼底写真撮像装置１１で撮影しながら、それをインターネット４を介して専門医グループ３に送信し、専門医グループ３側と相談しながら、眼底写真を順次撮影し、その診断を同時に行うことができる。
【００２６】
このようにすれば、診療医１や患者２にとっても、効率のよい診察、診断が行えるもので、その有用性は大きい。
【００２７】
また、上記の眼底写真等のデータを全てインターネット４を介してやり取りすると、診療医１は全ての内容を簡単に電子カルテに記録することができるから、その有用性は大きい。
【００２８】
なお、本発明は上述した実施の形態で説明した構造には限定されず、各部の形状、構造等を適宜変形、変更し得ることはいうまでもない。
たとえば上述した実施の形態では、眼底写真撮像装置１１で撮影した眼底写真を診療医１側の情報処理端末１２で画像データに変換する例を説明したが、これに限定されない。すなわち、眼底写真撮像装置１１において画像データ化したデータを、これにケーブル、その他の伝達手段で接続した情報処理端末１２に送り、該情報処理端末１２からデータ送受信手段１３で送信してもよい。
【００２９】
また、上述した実施の形態では、診療医１が個別に患者２を診察する際の例を説明したが、これに限定されない。たとえば人間ドッグや集団検診（会社、学校等）での眼底写真撮影を行った際に、遠隔地にいる大学などの医療センター等において専門医グループ３が集中的に判定する場合に適用してもよいことは言うまでもない。このようにすれば、人間ドッグ時や検診時に専門医を準備する必要がなくなり、効率のよい診断を適切に行える。
【００３０】
【発明の効果】
以上説明したように本発明に係る眼底写真診断システムによれば、内科医等の診療医が患者の眼底写真の診断を行うにあたって、眼底写真の専門家である眼科医や大学等での眼科関係の研究スタッフ等への眼底写真の判定、解析等の診断を依頼してその回答を得ることができるから、患者の眼底写真の判定、解析等の診断を適切かつ確実に行い、眼底写真の診断を適切に行うことができる。
【００３１】
また、本発明によれば、上記の診療医側から専門医側への依頼、回答をインタネットを利用して行うことにより、診療医と専門医とが遠隔地にいる場合であっても、患者の眼底写真の判定、解析等の診断を適切かつ確実に行うことができる。
【図面の簡単な説明】
【図１】本発明に係る眼底写真診断システムの一つの実施の形態を示し、システム全体の概要を説明するための概略図である。
【符号の説明】
１…診療医（内科医、脳外科医等）、２…患者、３…専門医グループ、４…インターネット、１１…眼底写真撮像装置、１２…情報処理端末（パーソナルコンピュータ）、１３…データ送受信手段、３１…情報処理端末（パーソナルコンピュータ）、３２…データ送受信手段。
【図１】
2004065893.tif 000003